(57)【特許請求の範囲】
【請求項１】
電線の端末に外側からかしめられる圧着部と、前記圧着部に連なって相手側端子金具と接続される接続部と、を有する端子金具であって、
前記圧着部のうち前記電線側の面には、前記電線の軸方向と交差する方向に延び、且つ前記電線の軸方向に並ぶ複数の凹部により凹部群が形成されており、前記凹部群は、前記電線の軸方向と交差する方向に間隔を空けて複数組並んで形成されており、
前記凹部群を構成する前記各凹部の底面は、前記電線の軸方向に対して傾斜して形成されており、
前記凹部群は、前記電線の軸方向について、間隔を空けて複数の列に形成されており、
前記電線の軸方向に隣接する前記凹部群は、前記電線の軸方向について互いにずれた位置に千鳥状に配されていることを特徴とする端子金具。
【請求項２】
電線の端末に外側からかしめられる圧着部と、前記圧着部に連なって相手側端子金具と接続される接続部と、を有する端子金具であって、
前記圧着部のうち前記電線側の面には、前記電線の軸方向と交差する方向に延び、且つ前記電線の軸方向に並ぶ複数の凹部により凹部群が形成されており、前記凹部群は、前記電線の軸方向と交差する方向に間隔を空けて複数組並んで形成されており、
前記凹部群を構成する前記各凹部の底面は、前記電線の軸方向に対して傾斜して形成されており、
前記凹部群は４つ以上の前記凹部からなり、前記各凹部群のうち前記電線の軸方向の一側に位置する一対の前記凹部の底面の形状と、前記電線の軸方向の他側に位置する一対の前記凹部の底面の形状とは、前記電線の軸方向について対称に形成されていることを特徴とする端子金具。
【請求項３】
請求項２に記載の端子金具であって、前記凹部群のうち前記電線の軸方向の一側に位置する一対の前記凹部の底面は、前記電線の軸方向の一側に向かうに従って下降傾斜しており、前記電線の軸方向の他側に位置する一対の前記凹部の底面は、前記電線の軸方向に他側に向かうに従って下降傾斜していることを特徴とする端子金具。
【請求項４】
電線の端末に外側からかしめられる圧着部と、前記圧着部に連なって相手側端子金具と接続される接続部と、を有する端子金具であって、
前記圧着部のうち前記電線側の面には、前記電線の軸方向と交差する方向に延び、且つ前記電線の軸方向に並ぶ複数の凹部により凹部群が形成されており、前記凹部群は、前記電線の軸方向と交差する方向に間隔を空けて複数組並んで形成されており、
前記凹部群を構成する前記各凹部の底面は、前記電線の軸方向に対して傾斜して形成されており、
前記凹部群は４つ以上の前記凹部からなり、前記各凹部群のうち前記電線の軸方向の一側に位置する一対の前記凹部の底面の形状と、前記電線の軸方向の他側に位置する一対の前記凹部の底面の形状とは、同一であり、
前記凹部群のうち前記電線の一側又は他側に位置する前記一対の凹部のうち、前記電線の軸方向の一側に位置する前記凹部の底面は、前記電線の軸方向の一側に向かうに従って下降傾斜しており、前記電線の軸方向の他側に位置する前記凹部の底面は、前記電線の他側に向かうに従って下降傾斜していることを特徴とする端子金具。
【請求項５】
請求項２ないし請求項４に記載の端子金具であって、前記凹部群は、前記電線の軸方向について、間隔を空けて複数の列に形成されていることを特徴とする端子金具。
【請求項６】
請求項５に記載の端子金具であって、前記電線の軸方向に隣接する前記凹部群は、前記電線の軸方向について互いにずれた位置に配されていることを特徴とする端子金具。
【請求項７】
導体を含む電線と、前記電線の端末から露出する前記導体に接続される端子金具と、を備えたワイヤーハーネスであって、
前記端子金具は、前記電線の端末に外側からかしめられる圧着部と、前記圧着部に連なって相手側端子金具と接続される接続部と、を備え、
前記圧着部のうち前記電線側の面には、前記電線の軸方向と交差する方向に延び、且つ前記電線の軸方向に間隔を空けて並ぶ複数の凹部により凹部群が形成されており、前記凹部群は、前記電線の軸方向と交差する方向に間隔を空けて複数組並んで形成されており、
前記凹部群を構成する前記各凹部の底面は、前記電線の軸方向に対して傾斜して形成されており、
前記凹部群は、前記電線の軸方向について、間隔を空けて複数の列に形成されており、
前記電線の軸方向に隣接する前記凹部群は、前記電線の軸方向について互いにずれた位置に千鳥状に配されていることを特徴とするワイヤーハーネス。
【請求項８】
導体を含む電線と、前記電線の端末から露出する前記導体に接続される端子金具と、を備えたワイヤーハーネスであって、
前記端子金具は、前記電線の端末に外側からかしめられる圧着部と、前記圧着部に連なって相手側端子金具と接続される接続部と、を備え、
前記圧着部のうち前記電線側の面には、前記電線の軸方向と交差する方向に延び、且つ前記電線の軸方向に間隔を空けて並ぶ複数の凹部により凹部群が形成されており、前記凹部群は、前記電線の軸方向と交差する方向に間隔を空けて複数組並んで形成されており、
前記凹部群を構成する前記各凹部の底面は、前記電線の軸方向に対して傾斜して形成されており、
前記凹部群は４つ以上の前記凹部からなり、前記各凹部群のうち前記電線の軸方向の一側に位置する一対の前記凹部の底面の形状と、前記電線の軸方向の他側に位置する一対の前記凹部の底面の形状とは、前記電線の軸方向について対称に形成されていることを特徴とするワイヤーハーネス。
【請求項９】
請求項８に記載のワイヤーハーネスであって、前記凹部群のうち前記電線の軸方向の一側に位置する一対の前記凹部の底面は、前記電線の軸方向の一側に向かうに従って下降傾斜しており、前記電線の軸方向の他側に位置する一対の前記凹部の底面は、前記電線の軸方向に他側に向かうに従って下降傾斜していることを特徴とするワイヤーハーネス。
【請求項１０】
導体を含む電線と、前記電線の端末から露出する前記導体に接続される端子金具と、を備えたワイヤーハーネスであって、
前記端子金具は、前記電線の端末に外側からかしめられる圧着部と、前記圧着部に連なって相手側端子金具と接続される接続部と、を備え、
前記圧着部のうち前記電線側の面には、前記電線の軸方向と交差する方向に延び、且つ前記電線の軸方向に間隔を空けて並ぶ複数の凹部により凹部群が形成されており、前記凹部群は、前記電線の軸方向と交差する方向に間隔を空けて複数組並んで形成されており、
前記凹部群を構成する前記各凹部の底面は、前記電線の軸方向に対して傾斜して形成されており、
前記凹部群は４つ以上の前記凹部からなり、前記各凹部群のうち前記電線の軸方向の一側に位置する一対の前記凹部の底面の形状と、前記電線の軸方向の他側に位置する一対の前記凹部の底面の形状とは、同一であり、
前記凹部群のうち前記電線の一側又は他側に位置する前記一対の凹部のうち、前記電線の軸方向の一側に位置する前記凹部の底面は、前記電線の軸方向の一側に向かうに従って下降傾斜しており、前記電線の軸方向の他側に位置する前記凹部の底面は、前記電線の他側に向かうに従って下降傾斜していることを特徴とするワイヤーハーネス。
【請求項１１】
請求項８ないし請求項１０に記載のワイヤーハーネスであって、前記凹部群は、前記電線の軸方向について、間隔を空けて複数の列に形成されていることを特徴とするワイヤーハーネス。
【請求項１２】
請求項１１に記載のワイヤーハーネスであって、前記電線の軸方向に隣接する前記凹部群は、前記電線の軸方向について互いにずれた位置に配されていることを特徴とするワイヤーハーネス。
【請求項１３】
請求項７ないし請求項１２のいずれか一項に記載のワイヤーハーネスであって、前記導体は、アルミニウム又はアルミニウム合金からなることを特徴とする。
【発明の詳細な説明】
【技術分野】
【０００１】
本発明は、端子金具及びワイヤーハーネスに関する。
【背景技術】
【０００２】
従来より、電線の端末に接続される端子金具として、例えば特許文献１に記載のものが知られている。この端子金具は、金属板材からなると共に電線の端末から露出する線心に外側からかしめられる圧着部と、この圧着部に連なって相手側端子と接続する接続部と、を備える。
【０００３】
上記した線心の表面に酸化膜が形成されると、線心と圧着部との間に酸化膜が介在することにより、線心と圧着部との間の接触抵抗が大きくなることが懸念される。
【０００４】
そこで、従来技術においては、圧着部の内側（線心側）には、電線の軸方向と交差する方向に連続して延びる凹部（セレーション）が形成されている。この凹部は、電線の軸方向に並んで複数形成されている。
【０００５】
電線の線心に圧着部をかしめつけると、線心は圧着部に押圧されて軸方向に延びる。すると、線心の表面に形成された酸化膜が、凹部の開口縁と摺接することにより、剥離される。すると、線心の新生面と、圧着部とが接触する。これにより、電線と端子金具との間の接触抵抗を小さくすることができる。
【特許文献１】特開平１０−１２５３６２号公報
【発明の開示】
【発明が解決しようとする課題】
【０００６】
近年、線心の材料としてアルミニウム又はアルミニウム合金の使用が検討されている。このアルミニウム又はアルミニウム合金の表面には酸化膜が比較的に形成されやすい。このため、例えば、アルミニウム又はアルミニウム合金を電線の線心に用いた場合には、凹部を形成した場合でも、線心と圧着部との間の接触抵抗を十分に小さくすることができないおそれがある。
【０００７】
そこで、圧着部の圧縮率を高くすることが考えられる。これにより、線心に形成された酸化膜が十分に剥離されると共に、線心に対して凹部の開口縁が食い込むので、線心と圧着部との間の接触抵抗を小さくできることが期待される。
【０００８】
しかし、上記のように圧着部の圧縮率を高めると、圧着部が電線の軸方向に大きく塑性変形する。すると、圧着部のうち比較的に板厚の小さな凹部における機械的強度が低下することが懸念される。
【０００９】
本発明は上記のような事情に基づいて完成されたものであって、電線との間の接触抵抗を向上させると共に、機械的強度の低下を抑制した端子金具及びこの端子金具を備えたワイヤーハーネスを提供することを目的とする。
【課題を解決するための手段】
【００１０】
本発明は、電線の端末に外側からかしめられる圧着部と、前記圧着部に連なって相手側端子金具と接続される接続部と、を有する端子金具であって、前記圧着部のうち前記電線側の面には、前記電線の軸方向と交差する方向に延び、且つ前記電線の軸方向に並ぶ複数の凹部により凹部群が形成されており、前記凹部群は、前記電線の軸方向と交差する方向に間隔を空けて複数組並んで形成されており、前記凹部群を構成する前記各凹部の底面は、前記電線の軸方向に対して傾斜して形成されており、前記凹部群は、前記電線の軸方向について、間隔を空けて複数の列に形成されており、前記電線の軸方向に隣接する前記凹部群は、前記電線の軸方向について互いにずれた位置に千鳥状に配されていることを特徴とする。
本発明は、導体を含む電線と、前記電線の端末から露出する前記導体に接続される端子金具と、を備えたワイヤーハーネスであって、前記端子金具は、前記電線の端末に外側からかしめられる圧着部と、前記圧着部に連なって相手側端子金具と接続される接続部と、を備え、前記圧着部のうち前記電線側の面には、前記電線の軸方向と交差する方向に延び、且つ前記電線の軸方向に間隔を空けて並ぶ複数の凹部により凹部群が形成されており、前記凹部群は、前記電線の軸方向と交差する方向に間隔を空けて複数組並んで形成されており、前記凹部群を構成する前記各凹部の底面は、前記電線の軸方向に対して傾斜して形成されており、前記凹部群は、前記電線の軸方向について、間隔を空けて複数の列に形成されており、前記電線の軸方向に隣接する前記凹部群は、前記電線の軸方向について互いにずれた位置に千鳥状に配されていることを特徴とする。
本発明は、電線の端末に外側からかしめられる圧着部と、前記圧着部に連なって相手側端子金具と接続される接続部と、を有する端子金具であって、前記圧着部のうち前記電線側の面には、前記電線の軸方向と交差する方向に延び、且つ前記電線の軸方向に並ぶ複数の凹部により凹部群が形成されており、前記凹部群は、前記電線の軸方向と交差する方向に間隔を空けて複数組並んで形成されており、前記凹部群を構成する前記各凹部の底面は、前記電線の軸方向に対して傾斜して形成されており、前記凹部群は４つ以上の前記凹部からなり、前記各凹部群のうち前記電線の軸方向の一側に位置する一対の前記凹部の底面の形状と、前記電線の軸方向の他側に位置する一対の前記凹部の底面の形状とは、前記電線の軸方向について対称に形成されていることを特徴とする。
本発明は、電線の端末に外側からかしめられる圧着部と、前記圧着部に連なって相手側端子金具と接続される接続部と、を有する端子金具であって、
前記圧着部のうち前記電線側の面には、前記電線の軸方向と交差する方向に延び、且つ前記電線の軸方向に並ぶ複数の凹部により凹部群が形成されており、前記凹部群は、前記電線の軸方向と交差する方向に間隔を空けて複数組並んで形成されており、前記凹部群を構成する前記各凹部の底面は、前記電線の軸方向に対して傾斜して形成されており、前記凹部群は４つ以上の前記凹部からなり、前記各凹部群のうち前記電線の軸方向の一側に位置する一対の前記凹部の底面の形状と、前記電線の軸方向の他側に位置する一対の前記凹部の底面の形状とは、同一であり、前記凹部群のうち前記電線の一側又は他側に位置する前記一対の凹部のうち、前記電線の軸方向の一側に位置する前記凹部の底面は、前記電線の軸方向の一側に向かうに従って下降傾斜しており、前記電線の軸方向の他側に位置する前記凹部の底面は、前記電線の他側に向かうに従って下降傾斜していることを特徴とする。
本発明は、導体を含む電線と、前記電線の端末から露出する前記導体に接続される端子金具と、を備えたワイヤーハーネスであって、前記端子金具は、前記電線の端末に外側からかしめられる圧着部と、前記圧着部に連なって相手側端子金具と接続される接続部と、を備え、前記圧着部のうち前記電線側の面には、前記電線の軸方向と交差する方向に延び、且つ前記電線の軸方向に間隔を空けて並ぶ複数の凹部により凹部群が形成されており、前記凹部群は、前記電線の軸方向と交差する方向に間隔を空けて複数組並んで形成されており、前記凹部群を構成する前記各凹部の底面は、前記電線の軸方向に対して傾斜して形成されており、前記凹部群は４つ以上の前記凹部からなり、前記各凹部群のうち前記電線の軸方向の一側に位置する一対の前記凹部の底面の形状と、前記電線の軸方向の他側に位置する一対の前記凹部の底面の形状とは、前記電線の軸方向について対称に形成されていることを特徴とする。
本発明は、導体を含む電線と、前記電線の端末から露出する前記導体に接続される端子金具と、を備えたワイヤーハーネスであって、前記端子金具は、前記電線の端末に外側からかしめられる圧着部と、前記圧着部に連なって相手側端子金具と接続される接続部と、を備え、前記圧着部のうち前記電線側の面には、前記電線の軸方向と交差する方向に延び、且つ前記電線の軸方向に間隔を空けて並ぶ複数の凹部により凹部群が形成されており、前記凹部群は、前記電線の軸方向と交差する方向に間隔を空けて複数組並んで形成されており、前記凹部群を構成する前記各凹部の底面は、前記電線の軸方向に対して傾斜して形成されており、前記凹部群は４つ以上の前記凹部からなり、前記各凹部群のうち前記電線の軸方向の一側に位置する一対の前記凹部の底面の形状と、前記電線の軸方向の他側に位置する一対の前記凹部の底面の形状とは、同一であり、前記凹部群のうち前記電線の一側又は他側に位置する前記一対の凹部のうち、前記電線の軸方向の一側に位置する前記凹部の底面は、前記電線の軸方向の一側に向かうに従って下降傾斜しており、前記電線の軸方向の他側に位置する前記凹部の底面は、前記電線の他側に向かうに従って下降傾斜していることを特徴とする。
【００１１】
圧着部を電線にかしめつけると、電線は圧着部に押圧されて軸方向に延びる。本発明によれば、凹部群を構成する各凹部の間の領域においては、電線に対して比較的に大きな応力が集中する。すると、各凹部の間に位置する開口縁においては、電線の表面に形成された酸化膜が剥離され、電線の新生面が露出する。この電線の新生面と、圧着部とが接触することにより、電線と端子金具との接触抵抗を小さくすることができる。
【００１２】
そして、電線に対して比較的に大きな応力が集中することにより、電線の変形が促進される。これにより、電線に対して各凹部の間に位置する開口縁が食い込むので、電線と端子金具との接触抵抗を一層小さくすることができる。
【００１３】
さらに、凹部群を構成する各凹部の底面は、電線の軸方向に対して傾斜して形成されている。これにより、圧着部を電線にかしめつけたときに、電線が凹部の底面に案内されて、電線の変形が促進される。これにより、電線と端子金具との接触面積が大きくなるので、電線と端子金具との接触抵抗を一層小さくすることができる。
【００１４】
また、圧着部を電線にかしめつけると、圧着部も電線の軸方向に塑性変形する。この点に鑑み、本発明においては、凹部群は、電線の周方向に間隔を空けて並んで複数組形成される構成とした。これにより、凹部群同士の間には、凹部が存在しない領域が形成される。この、凹部が存在しない領域により、圧着部を電線の軸方向に塑性変形させる力が吸収されるので、凹部が電線の軸方向に大きく塑性変形することが抑制される。この結果、端子金具の機械的強度を保持できる。
【００１５】
本発明の実施態様としては、以下の構成が好ましい。
前記凹部群は、前記電線の軸方向について、間隔を空けて複数の列に形成されていてもよい。
【００１６】
上記の構成により、凹部群が一列だけ形成されている場合に比べて、電線と端子金具との接触面積を大きくできる。これにより、電線と端子金具との間の接触抵抗を一層小さくすることができる。
【００１７】
前記電線の軸方向に隣接する前記凹部群は、前記電線の軸方向について互いにずれた位置に配されていてもよい。
【００１８】
電線の軸方向と交差する方向について凹部群が形成されていない領域においては、電線と各凹部の開口縁とが摺接しないことになる。すると、電線と端子金具との間の接触抵抗が不均一になることが懸念される。
【００１９】
上記の点に鑑み、本構成においては、凹部群は、電線の軸方向について互いにずれた位置に配される構成とした。これにより、電線の軸方向について、各凹部を分散して配することができる。すると、電線と各凹部とが、電線の軸方向について平均して摺接するので、電線と端子金具との間の接触抵抗を均等化することができる。
【００２４】
前記導体は、アルミニウム又はアルミニウム合金からなる構成としてもよい。
【００２５】
導体がアルミニウム又はアルミニウム合金からなる場合、導体の表面に形成された酸化被膜を破って接触抵抗を小さくするためには、高い圧縮率で圧着部を線心にかしめつける必要がある。このような場合に、本構成は有効である。
【発明の効果】
【００２６】
本発明によれば、電線と端子金具との間の接触抵抗を向上させると共に、端子金具の機械的強度の低下を抑制できる。
【発明を実施するための最良の形態】
【００２７】
＜実施形態１＞
本発明の実施形態１を図１ないし図５を参照しつつ説明する。本実施形態に係るワイヤーハーネス１０は、電線１１と、この電線１１の端末に接続された雌端子金具１２（端子金具に相当）を含む。
【００２８】
図１に示すように、電線１１は、線心（導体に相当）１３の外周を絶縁被覆１４で包囲してなる。線心１３は、アルミニウム、若しくはアルミニウム合金、又は銅、若しくは銅合金等、必要に応じて任意の金属を用いることができる。また、線心１３は、多数の細線を寄り合わせた撚り線でもよく、また、単芯線でもよい。
【００２９】
図１に示すように、雌端子金具１２は、図示しない金属板材を所定形状にプレス成形してなる。雌端子金具１２は、電線１１の絶縁被覆１４を外側から抱くようにしてかしめるインシュレーションバレル１５を有する。インシュレーションバレル１５の図１における左方には、インシュレーションバレル１５に連なって、電線１１の芯線を外側から抱くようにしてかしめるワイヤーバレル１６（圧着部に相当）が形成されている。
【００３０】
ワイヤーバレル１６の図１における左方には、ワイヤーバレル１６に連なって、図示しない雄端子金具（相手側端子金具に相当）と嵌合して電気的に接続される、筒状の接続部１７が形成されている。
【００３１】
さて、図２には、電線１１にかしめる前の状態におけるワイヤーバレル１６を示す。図２における紙面手前側の面が、電線１１をワイヤーバレル１６にかしめた時に内側となって、電線１１側に位置するようになっている。ワイヤーバレル１６のうち図２における紙面手前側の面には、紙面奥側に陥没する複数の凹部１８が形成されている。凹部１８は、電線１１にワイヤーバレル１６をかしめた状態における電線１１の軸方向（図２において矢線Ａで示す方向）と交差する方向（図２において矢線Ｂで示す方向）に延びて細長い略矩形状をなしている。
【００３２】
図２に示すように、凹部１８は、電線１１の軸方向（矢線Ａで示す方向）に間隔を空けて複数（本実施形態では４つ）並んで凹部群３０を形成している。凹部群３０は、電線１１の軸方向と交差する方向に一定の間隔を空けて複数組並んで形成されている。
【００３３】
また、凹部群３０は、電線１１の軸方向について、間隔を空けて複数の列（本実施形態では２列）に形成されている。また、電線１１の軸方向に隣接する凹部群３０同士は、電線１１の軸方向について互いにずれた位置に配されている。これにより、凹部群３０は、全体として、いわゆる千鳥状に配されている。
【００３４】
図３に示すように、凹部１８のうち電線１１の軸方向と交差する方向の断面は略台形状をなしており、凹部１８の底面から開口縁に向かうにつれて幅広形状に形成されている。凹部１８の開口縁には、エッジが形成されている。
【００３５】
一方、図４に示すように、凹部１８の底面は、電線１１の軸方向（図４において矢線Ｃで示す方向）について傾斜して形成されている。一つの凹部群３０のうち電線１１の軸方向の一側（図４における左側）に位置する一対の凹部１８Ａ，１８Ａの底面の形状と、電線１１の軸方向の他側（図４における右側）位置する一対の凹部１８Ｂ，１８Ｂの底面の形状とは、電線１１の軸方向について対称に形成されている。
【００３６】
そして、凹部群３０のうち電線１１の軸方向の一側（図４における左側）に位置する一対の凹部１８Ａ，１８Ａの底面は、電線１１の軸方向の一側に向かうに従って下降傾斜している。そして、一対の凹部１８Ａ，１８Ａの内側面のうち、電線１１の軸方向の一側に位置する内側面は切り立って形成されている。
【００３７】
一方、電線１１の軸方向の他側（図４における右側）に位置する一対の凹部１８Ｂ，１８Ｂの底面は、電線１１の軸方向に他側に向かうに従って下降傾斜している。そして、一対の凹部１８Ｂ，１８Ｂの内側面のうち、電線１１の軸方向の他側に位置する内側面は切り立って形成されている。
【００３８】
また、図５に示すように、一対の凹部１８，１８同士は、比較的に近接した位置に並んで配されている。
【００３９】
次に、本実施形態の作用、効果について説明する。以下に、電線１１に対する雌端子金具１２の取付け工程の一例を示す。まず、金属板材をプレス成形することで所定の形状に形成する。このとき、凹部１８を同時に形成してもよい。
【００４０】
その後、所定形状に形成された金属板材を曲げ加工することで接続部１７を形成する。このときに凹部１８を形成してもよい。
【００４１】
続いて、電線１１の絶縁被覆１４を剥がして線心１３を露出させる。線心１３をワイヤーバレル１６の上に載置し、絶縁被覆１４をインシュレーションバレル１５の上に載置した状態で、図示しない金型により、両バレルを電線１１に対して外側からかしめる。
【００４２】
ワイヤーバレル１６を線心１３にかしめつけると、線心１３はワイヤーバレル１６に押圧されて軸方向に塑性変形して延びる。本実施形態においては、凹部群３０を構成する各凹部１８の間の領域においては、線心１３に対して比較的に大きな応力が集中する。これにより、本実施形態においては、一対の凹部１８，１８を構成する各凹部１８の間の領域においては、線心１３に対して比較的に大きな応力が集中する。すると、各凹部１８の間に位置する開口縁においては、線心１３の表面に形成された酸化膜が剥離され、線心１３の新生面が露出する。この線心１３の新生面と、ワイヤーバレル１６とが接触することにより、電線１１と雌端子金具１２との接触抵抗を小さくすることができる。
【００４３】
さらに、線心１３に対して比較的に大きな応力が集中することにより、線心１３の変形が促進される。これにより、線心１３に対して各凹部１８の間に位置する開口縁が食い込むので、電線１１と雌端子金具１２との接触抵抗を一層小さくすることができる。
【００４４】
そのうえ、凹部群３０を構成する各凹部１８の底面は、電線１１の軸方向に対して傾斜して形成されている。これにより、ワイヤーバレル１６を線心１３にかしめつけたときに、線心１３が凹部１８の底面に案内されて、線心１３の変形が促進される。詳細には、線心１３が電線１１の軸方向に塑性変形して延びると、凹部１８のうち下降傾斜する側の底面に誘い込まれるようになっている。これにより、線心１３とワイヤーバレル１６との接触面積が大きくなるので、電線１１と雌端子金具１２との接触抵抗を一層小さくすることができる。
【００４５】
さらに、凹部１８のうち、切り立って形成された内側面の開口縁が線心１３に食い込むことにより、電線１１と雌端子金具１２との接触抵抗を一層小さくすることができる。
【００４６】
また、本実施形態においては、凹部群３０は、電線１１の軸方向について、間隔を空けて複数の列に形成されている。これにより、凹部群３０が一列だけ形成されている場合に比べて、線心１３と端子金具との接触面積を大きくできる。これにより、電線１１と端子金具との間の接触抵抗を一層小さくすることができる。
【００４７】
また、ワイヤーバレル１６を電線１１にかしめつけると、ワイヤーバレル１６も電線１１の軸方向に塑性変形して延びる。すると、ワイヤーバレル１６に形成された凹部１８が引き伸ばされて、凹部１８における機械的強度が低下することが懸念される。
【００４８】
この点に鑑み、本発明においては、凹部群３０は、電線１１の軸方向と交差する方向に間隔を空けて並んで形成される構成とした。これにより、凹部群３０同士の間には、凹部１８が存在しない領域が形成される。この、凹部１８が存在しない領域により、ワイヤーバレル１６を電線１１の軸方向に塑性変形させる力が吸収されるので、凹部１８が電線１１の軸方向に大きく塑性変形することを抑制できる。この結果、雌端子金具１２の機械的強度を保持できる。
【００４９】
また、本実施形態においては、凹部群３０は、電線１１の軸方向について、間隔を空けて複数の列に形成されている。これにより、凹部群３０が一列だけ形成されている場合に比べて、線心１３と端子金具との接触面積を大きくできる。これにより、電線１１と雌端子金具１２との間の接触抵抗を一層小さくすることができる。
【００５０】
また、電線１１の軸方向と交差する方向について凹部群３０が形成されていない領域においては、線心１３と各凹部１８の開口縁とが摺接しないことになる。すると、電線１１と雌端子金具１２との間の接触抵抗が不均一になることが懸念される。
【００５１】
上記の点に鑑み、本実施形態においては、凹部群３０は、電線１１の軸方向について互いにずれた位置に配される構成とした。これにより、電線１１の軸方向について、各凹部１８群を分散して配することができる。すると、線心１３と各凹部１８とが、電線１１の軸方向について平均して摺接するので、電線１１と雌端子金具１２との間の接触抵抗を均等化することができる。
【００５２】
なお、線心１３がアルミニウム又はアルミニウム合金からなる場合、線心１３の表面に形成された酸化被膜を破って接触抵抗を小さくするためには、高い圧縮率（例えば４０〜７０％程度）でワイヤーバレル１６を線心１３にかしめつける必要がある。このような場合に、本実施形態は極めて有効となる。なお、圧縮率は、｛（圧縮後導体面積）／（圧縮前導体面積）｝×１００  で定義される。
【００５３】
＜実施形態２＞
次に、本発明の実施形態２を図６ないし図８を参照しつつ説明する。図６に示すように、本実施形態においては、凹部１８は、電線１１の軸方向（矢線Ａで示す方向）に複数（本実施形態では４つ）並んで凹部群３０を形成している。
【００５４】
各凹部群３０のうち、図６における左側に位置する一対の凹部１８Ｉ，１８Ｊは、間隔を空けずに並んで形成されており、右側に位置する一対の凹部１８Ｋ，１８Ｌも、間隔を空けずに並んで形成されている。そして、一対の凹部１８Ｉ，１８Ｊと、一対の凹部１８Ｋ，１８Ｌとは、間隔を空けて並んで形成されている。
【００５５】
各凹部群３０のうち電線１１の軸方向（図７において矢線Ｆで示す方向）の一側（図７における左側）に位置する一対の凹部１８Ｉ，１８Ｊの底面の形状と、電線１１の軸方向の他側（図７における右側）に位置する一対の凹部１８Ｋ，１８Ｌの底面の形状とは、同一に形成されている。
【００５６】
電線１１の軸方向の一側（図７における左側）に位置する凹部１８Ｉの底面は、電線１１の一側に向かうに従って上向かうに従って下降傾斜しており、電線１１の軸方向の他側（図７における右側）に位置する凹部１８Ｋの底面は、電線１１の他側に向かうに従って下降傾斜している。これにより、図８に示すように、一対の凹部１８Ｉ，１８Ｊの間には、稜部３１が形成される。
【００５７】
同様に、電線１１の軸方向（図７における矢線Ｆで示す方向）の他側（図７における右側）に位置する凹部１８Ｋの底面は、電線１１の一側（図７における左側）に向かうに従って下降傾斜しており、電線１１の軸方向の他側（図７における右側）に位置する凹部１８Ｌの底面は、電線１１の他側に向かうに従って下降傾斜している。これにより、図８に示すように、一対の凹部１８Ｋ，１８Ｌの間には、稜部３１が形成される。
【００５８】
上記の構成の他は、実施形態１と略同じ構成なので、同一部材については同一符号を付し、重複する説明を省略する。
【００５９】
本実施形態においては、線心１３にワイヤーバレル１６をかしめると、線心１３に対して、一対の凹部１８Ｉ，１８Ｊの間に位置する稜部３１と、一対の凹部１８Ｋ，１８Ｌの間に位置する稜部３１とが、食い込む。この結果、電線１１と雌端子金具１２との間の接触抵抗を小さくすることができる。
【００６０】
＜他の実施形態＞
本発明は上記記述及び図面によって説明した実施形態に限定されるものではなく、例えば次のような実施形態も本発明の技術的範囲に含まれる。
（１）凹部群３０を形成する凹部１８の底面の傾斜は、全て同一形状であってもよいし、また、各凹部群３０ごとに異なる形状としてもよく、必要に応じて任意の形状をとりうる。
（２）本実施形態においては、各凹部群３０は４つの凹部１８からなる構成としたが、これに限られず、各凹部群３０は、２つ、３つ、又は５つ以上の凹部１８から構成されていてもよい。
（３）本実施形態においては、凹部群３０は、電線１１の軸方向と交差する方向について一定の間隔を空けて並ぶ構成としたが、これに限られず、ワイヤーバレル１６における応力の分布に応じて、凹部群３０同士の間隔を異ならせてもよい。
（４）本実施形態においては、凹部群３０は、電線１１の軸方向について一定の間隔を空けて複数の列をなす構成としたが、これに限られず、電線１１の軸方向についての凹部群３０の間隔は、等間隔でなくともよく、ワイヤーバレル１６における応力の分布に応じて異ならせてもよい。
（５）本実施形態においては、電線１１の軸方向に隣接する凹部群３０同士は電線１１の軸方向にずれて配される構成としたが、これに限られず、凹部群３０は、電線１１の軸方向および軸方向と交差する方向について整列して形成されてもよい。
（６）凹部１８の深さ寸法は、全て同一であってもよいし、また、凹部１８の形成される部位に応じて異なっていてもよい。
（７）本実施形態においては、端子金具は雌端子金具１２としたが、これに限られず、雄端子金具としてもよく、また、円板を貫通する貫通孔が形成された形状（いわゆるＬＡ端子）としてもよい。すなわち、端子金具の接続部１７は、必要に応じて任意の形状を取りうる。
（８）本実施形態においては、電線１１は被覆電線としたが、これに限られず、周囲との絶縁がなされる場合には裸電線でもよく、また、シールド電線でもよく、必要に応じて任意の電線を用いることができる。電線１１の導体は、被覆電線の線心１３でもよく、また、シールド電線の中心導体、又は編組線でもよく、必要に応じて任意の構成を取りうる。
（９）インシュレーションバレル１５のバレル片の形状は、３本以上が左右両側から互い違いに形成されていたもよく、また、１本のみが形成されていてもよい。
（１０）凹部群３０は、電線１１の軸方向について、１列だけ形成されてもよいし、また、３列以上に並んで形成されてもよい。
【図面の簡単な説明】
【００６１】
【図１】本実施形態における実施形態１のワイヤーハーネスの要部拡大側面図
【図２】電線にかしめる前のワイヤーバレルの状態を示す要部拡大平面図
【図３】図２におけるIII−III線断面図
【図４】図２におけるIV−IV線断面図
【図５】凹部を示す要部拡大斜視図
【図６】実施形態２に係る雌端子金具について、電線にかしめる前のワイヤーバレルの状態を示す要部拡大平面図
【図７】図６におけるVII−VII線断面図
【図８】凹部を示す要部拡大斜視図
【符号の説明】
【００６２】
１０…ワイヤーハーネス
１１…電線
１２…雌端子金具（端子金具）
１３…線心
１４…絶縁被覆
１６…ワイヤーバレル（圧着部）
１７…接続部
１８…凹部
【図１】
0005142751.tif 000002
【図２】
0005142751.tif 000003
【図３】
0005142751.tif 000004
【図４】
0005142751.tif 000005
【図５】
0005142751.tif 000006
【図６】
0005142751.tif 000007
【図７】
0005142751.tif 000008
【図８】
0005142751.tif 000009